(57)【要約】    【課題】  電子部品を電子機器に簡単に取り付けることが可能となる取り付け構造を提供する。    【解決手段】  ハードディスク装置２が固定された台座部３を窪み１２ｃに沿って移動させることで、ハードディスク装置２の入出力端子２ａとコネクタ４とを接続させ、この状態で、台座部３を固着部３ａに固着させ、その後、台座部３に蓋１１を閉じて、台座部３を電子楽器１の筐体に固定する。【選択図】    図４
2006309805.tif 000002
【特許請求の範囲】
【請求項１】
電子機器に電子部品を取り付ける取り付け構造であって、
前記電子機器の筐体は、
前記電子部品を設置する、開口部を備えた設置空間と、
該設置空間の側面の一部に設けられたコネクタ部と、
前記開口部の周辺に形成された部品移動規制部と、
前記電子部品を固定する台座部を固着する固着部と、
蓋を取り付ける取付部と
を有し、
前記台座部を前記部品移動規制部に沿って移動させることで、前記電子部品の入出力端子と前記コネクタ部とを接続させ、
この状態で、前記台座部を前記固着部に固着させ、
その後、前記取付部に前記蓋を取り付けて、前記台座部を前記電子機器の筐体に固定する
ことを特徴とする取り付け構造。
【請求項２】
前記台座部および前記固着部から、前記電子部品のアースを取るようにしたことを特徴とする請求項１に記載の取り付け構造。
【発明の詳細な説明】
【技術分野】
【０００１】
本発明は、電子機器に電子部品を取り付ける取り付け構造に関する。
【背景技術】
【０００２】
電子部品として、ハードディスク装置を採り、電子機器にハードディスク装置を取り付ける場合、通常、電子機器の筐体内には、ハードディスク装置を設置する設置場所があるので、ユーザは、まず、電子機器の上面パネルなどを開けて、設置場所にアクセスできるようにし、次に、設置場所の近くにあるコネクタをハードディスク装置の入出力端子に接続した後、ハードディスク装置を設置場所にネジ止めし、最後に、開いた状態の上面パネルなどを閉じるようにしていた。
【発明の開示】
【発明が解決しようとする課題】
【０００３】
しかし、上記従来の取り付け方法では、電子機器の筐体の内部にアクセスできるようにした後、ハードディスク装置の入出力端子にコネクタを接続し、さらに、そのハードディスク装置を設置場所にネジ止めしなければならないので、ハードディスク装置を取り付けるために、非常に面倒な作業を行わなければならなかった。
【０００４】
本発明は、この点に着目してなされたものであり、電子部品を電子機器に簡単に取り付けることが可能となる取り付け構造を提供することを目的とする。
【課題を解決するための手段】
【０００５】
上記目的を達成するため、請求項１に記載の取り付け構造は、電子機器に電子部品を取り付ける取り付け構造であって、前記電子機器の筐体は、前記電子部品を設置する、開口部を備えた設置空間と、該設置空間の側面の一部に設けられたコネクタ部と、前記開口部の周辺に形成された部品移動規制部と、前記電子部品を固定する台座部を固着する固着部と、蓋を取り付ける取付部とを有し、前記台座部を前記部品移動規制部に沿って移動させることで、前記電子部品の入出力端子と前記コネクタ部とを接続させ、この状態で、前記台座部を前記固着部に固着させ、その後、前記取付部に前記蓋を取り付けて、前記台座部を前記電子機器の筐体に固定することを特徴とする。
【０００６】
好ましくは、前記台座部および前記固着部から、前記電子部品のアースを取るようにしたことを特徴とする。
【発明の効果】
【０００７】
請求項１に記載の発明によれば、台座部を電子機器の筐体側の部品移動規制部に沿って移動させることで、電子部品の入出力端子と前記筐体側のコネクタ部とを接続させ、この状態で、前記台座部を前記筐体側の固着部に固着させ、その後、前記筐体側の取付部に蓋を取り付けて、前記台座部を前記電子機器の筐体に固定するようにしたので、電子部品を電子機器に簡単に取り付けることが可能となる。
【発明を実施するための最良の形態】
【０００８】
以下、本発明の実施の形態を図面に基づいて詳細に説明する。
【０００９】
図１は、本発明の一実施の形態に係る電子部品の電子機器への取り付け構造を適用した電子楽器１を前方から見下ろしたときの外観を示す斜視図であり、図２は、図１の電子楽器１を裏側から見たときの外観を示す斜視図である。
【００１０】
本実施の形態では、電子部品の一例であるハードディスク装置を、電子機器の一例である電子楽器に取り付ける構造について説明する。
【００１１】
図２に示すように、ハードディスク装置の設置場所には、蓋１１がネジ止めされている。
【００１２】
図３は、図２の電子楽器１の分解斜視図を示し、ハードディスク装置の設置場所の周辺を分解したものである。
【００１３】
図３に示すように、ハードディスク装置２は、台座３および蓋１１を介して、開口部１２ａを有する設置空間１２に取り付けられる。
【００１４】
図４は、ハードディスク装置２を電子楽器１に取り付ける取り付け構造をさらに詳細に説明するための図である。
【００１５】
同図に示すように、まず、ハードディスク装置２上の４つのネジ穴２ｂと、このネジ穴２ｂに対応して、台座３に設けられた４つのネジ穴３ｂをネジ５で螺着させることにより、ハードディスク装置２を台座３に固定する。なお、台座３およびネジ５は、金属等の導電性部材からできている。
【００１６】
次に、ハードディスク装置２が固定された台座３を、矢印Ａに示すように、開口部１２ａを有する設置空間１２に取り付ける。具体的には、開口部１２ａの対向する位置に、２本のレール状の窪み１２ｃが形成されているので、この各窪み１２ｃに、台座３に屈曲形成された２つの屈曲部３ｃを載せた後、矢印Ａの方向に台座３を滑らせる。台座３を滑らせる方向には、ハードディスク装置２に設けられた、電源線や信号線の入出力端子２ａが接続されるコネクタ４が設けられている。そして、台座３（ハードディスク装置２）を設置空間１２に固定するために、台座３に屈曲形成された固着部３ａのネジ穴３ａ１が、開口部１２ａの周辺に形成された被固着部１２ｄのネジ穴１２ｄ１に一致するまで、台座３を滑らせると、入出力端子２ａは、コネクタ４に正確に嵌合されるようになっている。この状態で、ネジ穴３ａ１とネジ穴１２ｄ１をネジ６で螺着させる。なお、被固着部１２ｄおよびネジ６は、金属等の導電性部材からできている。
【００１７】
このようにして、ハードディスク装置２の固定された台座３が、設置空間１２内に取り付けられるのであるが、台座３と電子楽器１の筐体とは、１点で固定されているのみであり、さらに、設置空間１２は電子楽器１の裏側にあるので、これだけでは、台座３が設置空間１２から外れ易い。そこで、台座３の上から蓋１１を閉め、その蓋１１に設けられた４つのネジ穴１１ａと、開口部１２ａの周辺に設けられた４つのネジ穴１２ｅとを４つのネジ７で螺着させる。これにより、ハードディスク装置２は、設置空間１２内に固定されたまま、外れない。
【００１８】
なお、蓋１１が取り付けられる、開口部１２ａの周辺部の近傍には、ユーザが指を入れるための凹部１２ｂが形成されている。この凹部１２ｂにより、ユーザは、電子楽器１の筐体から蓋１１を容易に取り外すことができる。
【００１９】
このように、本実施の形態では、ハードディスク装置２が固定された台座部３を窪み１２ｃに沿って移動させることで、ハードディスク装置２の入出力端子２ａとコネクタ４とを接続させ、この状態で、台座部３を固着部３ａに固着させ、その後、台座部３に蓋１１を閉じて、台座部３を電子楽器１の筐体に固定するようにしたので、ハードディスク装置２を電子楽器１に簡単に取り付けることができる。
【００２０】
また、台座３、被固着部１２ｄおよびネジ５，６は、前述のように、導電性部材からなるので、ハードディスク装置２のアースをこの系統から取ることができる。
【図面の簡単な説明】
【００２１】
【図１】本発明の一実施の形態に係る電子部品の電子機器への取り付け構造を適用した電子楽器を前方から見下ろしたときの外観を示す斜視図である。
【図２】図１の電子楽器を裏側から見たときの外観を示す斜視図である。
【図３】図２の電子楽器の分解斜視図である。
【図４】ハードディスク装置を電子楽器に取り付ける取り付け構造をさらに詳細に説明するための図である。
【符号の説明】
【００２２】
１…電子楽器，１１…蓋，１２…設置空間，１２ａ…開口部，１２ｃ…窪み，１２ｄ…被固着部，２…ハードディスク装置，２ａ…入出力端子，３…台座，３ａ…固着部，３ｃ…屈曲部，４…コネクタ
【図１】
2006309805.tif 000003
【図２】
2006309805.tif 000004
【図３】
2006309805.tif 000005
【図４】
2006309805.tif 000006